(57)【要約】【課題】ブラケットの取り付け姿勢が変わっても、ブラケットの抜け止めを実現する抜け止め部材、及び当該抜け止め部材を備えたブラケットを提供すること。【解決手段】  ブラケット２００のための抜け止め部材１００であって、前記ブラケット１００に、スライド可能に取り付けられる本体部１１０と、当該本体部１１０の先端側から突出しており、前記ブラケット２００を取り付ける支柱３００の取付孔３１０に挿入される突起部１２０と、一端１３２が前記ブラケット２００に固定され、他端１３１が前記本体部１１０に固定される弾性変形部１３０と、を備え、当該弾性変形部１３０は、前記本体部１１０の外側に配置されており、さらに、前記突起部１２０が前記取付孔３１０に挿入される方向へ、前記本体部１１０を付勢することができ、前記突起部１２０の先端に、当該突起部１２０の末端よりも幅が狭い幅狭部１２１を備えることを特徴とする。【選択図】図１
2019176939.tif 000002
【特許請求の範囲】
【請求項１】
ブラケットのための抜け止め部材であって、
前記ブラケットに、スライド可能に取り付けられる本体部と、
当該本体部の先端側から突出しており、前記ブラケットを取り付ける支柱の取付孔に挿入される突起部と、
一端が前記ブラケットに固定され、他端が前記本体部に固定される弾性変形部と、を備え、
当該弾性変形部は、前記本体部の外側に配置されており、さらに、前記突起部が前記取付孔に挿入される方向へ、前記本体部を付勢することができ、
前記突起部の先端側に、当該突起部の末端側よりも幅が狭い幅狭部を備えることを特徴とする抜け止め部材。
【請求項２】
前記弾性変形部の一端は、突起形状をしており、
前記ブラケットの固定孔に挿入して固定することを特徴とする請求項１に記載の抜け止め部材。
【請求項３】
前記本体部は溝部を備え、
当該溝部に、前記ブラケットの一部が、スライド可能に嵌ることを特徴とする請求項１又は２に記載の抜け止め部材。
【請求項４】
請求項１から３のいずれかに記載の抜け止め部材を備えたブラケットであって、
前記支柱の取付孔に係合する複数の係止部を備え、
前記複数の係止部のそれぞれは、前記ブラケットを支柱に取り付ける際の複数の姿勢に対応していることを特徴とするブラケット。
【発明の詳細な説明】
【技術分野】
【０００１】
本願発明は、陳列棚を保持するブラケットのための抜け止め部材、及び当該抜け止め部材を備えたブラケットに関する。
【背景技術】
【０００２】
従来から、スーパーやコンビニ等の店舗で、商品を陳列するための陳列装置が利用されており、この陳列装置の陳列棚は、支柱に取り付けられたブラケットによって保持されている。そして、このブラケットは、支柱に設けられた取付孔に着脱可能に取り付けられており、さらに、ブラケットが簡単に抜けないように、抜け止め部材が利用されている。
【０００３】
この抜け止め部材には様々な種類のものがあるが、例えば、本出願人が過去に出願した特許文献１に示す抜け止め部材がある。この抜け止め部材は、ブラケットに、スライド可能に取り付けられる本体部と、当該本体部の先端側から突出しており、ブラケットを取り付ける支柱の取付孔に挿入される突起部とを備えたもので、ブラケットを支柱に直角に取り付けた際に、突起部が支柱の取付孔に挿入されて、ブラケットの抜け止めを実現するものである。ただ、ブラケットを支柱に斜めに固定する際に、ブラケットの抜け止めを確実に実現するものではなかった。
【先行技術文献】
【特許文献】
【０００４】
【特許文献１】特願２０１７−１７３２７１号
【発明の開示】
【発明が解決しようとする課題】
【０００５】
そこで、本願発明は上記問題に鑑み、ブラケットの取り付け姿勢が変わっても、ブラケットの抜け止めを実現する抜け止め部材、及び当該抜け止め部材を備えたブラケットを提供することを目的としている。
【課題を解決するための手段】
【０００６】
本願発明の抜け止め部材は、ブラケットのための抜け止め部材であって、前記ブラケットに、スライド可能に取り付けられる本体部と、当該本体部の先端側から突出しており、前記ブラケットを取り付ける支柱の取付孔に挿入される突起部と、一端が前記ブラケットに固定され、他端が前記本体部に固定される弾性変形部と、を備え、当該弾性変形部は、前記本体部の外側に配置されており、さらに、前記突起部が前記取付孔に挿入される方向へ、前記本体部を付勢することができ、前記突起部の先端側に、当該突起部の末端側よりも幅が狭い幅狭部を備えることを特徴とする。
【０００７】
上記特徴によれば、突起部の先端に、突起部の末端よりも幅が狭い幅狭部を備えているので、ブラケットを支柱に対して略直角又は斜めに交わるように、ブラケットの取り付け姿勢を変えても、突起部が支柱の取付孔に確実に挿入され、ブラケットの抜け止めを実現することができるのである。
【０００８】
また、上記特徴によれば、弾性変形部の一端が本体部に固定され、弾性変形部の他端がブラケットに固定されているので、抜け止め部材がブラケットから飛び出して脱落することはない。さらに、弾性変形部は本体部の外側に配置されているので、本体部がスライド移動することによって、弾性変形部が本体部やブラケットと擦れて摩耗することを極力抑えることができる。つまり、抜け止め部材をブラケットにつなぎ止めている弾性変形部が摩耗し難く、損傷を受けにくいことから、抜け止め部材を長期間使用しても、抜け止め部材がブラケットから脱落してしまうことを効果的に防止できるのである。
【０００９】
さらに、本願発明の抜け止め部材は、前記弾性変形部の一端は、突起形状をしており、前記ブラケットの固定孔に挿入して固定することを特徴とする。
【００１０】
上記特徴によれば、弾性変形部の突起状の他端を、ブラケットの固定孔に挿入すれば、抜け止め部材をブラケットに固定できるので、抜け止め部材の取り付け作業が極めて簡単となる。
【００１１】
本願発明の抜け止め部材は、前記本体部は溝部を備え、当該溝部に、前記ブラケットの一部が、スライド可能に嵌ることを特徴とする。
【００１２】
上記特徴によれば、本体部は溝部に沿って滑らかにスライド移動することができ、また、溝部にブラケットの一部を嵌めるだけなので、本体部のブラケットへの取り付け作業が簡単である。
【００１３】
さらに、本願発明の抜け止め部材を備えたブラケットは、前記支柱の取付孔に係合する複数の係止部を備え、前記複数の係止部のそれぞれは、前記ブラケットを支柱に取り付ける際の複数の姿勢に対応していることを特徴とする。
【００１４】
上記特徴によれば、ブラケットを支柱に取り付ける際の複数の姿勢（例えば、略直角や斜め）に対応している、複数の係止部を備えているので、ブラケットの支柱への取り付け姿勢を容易に変更できると共に、ブラケットの抜け止めを確実に実現できる。
【発明の効果】
【００１５】
上記に記したように、本願発明の抜け止め部材、及び当該抜け止め部材を備えたブラケットによれば、ブラケットの取り付け姿勢が変わっても、ブラケットの抜け止めを実現できる。
【図面の簡単な説明】
【００１６】
【図１】（ａ）は本願発明の抜け止め部材の全体斜視図、（ｂ）は抜け止め部材の平面図、（ｃ）は抜け止め部材の側面図、（ｄ）は抜け止め部材の底面図である。
【図２】本願発明の抜け止め部材が取り付けられたブラケットを、支柱に取り付ける様子を側面側から示す概念図であって、支柱は縦断面として示し、ブラケットは側面から見た状態を示している。
【図３】本願発明の抜け止め部材が取り付けられたブラケットを、支柱に取り付ける様子を側面側から示す概念図であって、支柱は縦断面として示し、ブラケットは側面から見た状態を示している。
【図４】本願発明の抜け止め部材が取り付けられたブラケットを、支柱に取り付ける様子を側面側から示す概念図であって、支柱は縦断面として示し、ブラケットは側面から見た状態を示している。
【図５】本願発明の抜け止め部材が取り付けられたブラケットを、支柱に取り付ける様子を側面側から示す概念図であって、支柱は縦断面として示し、ブラケットは側面から見た状態を示している。
【図６】本願発明の抜け止め部材が取り付けられたブラケットを、支柱に取り付ける様子を側面側から示す概念図であって、支柱は縦断面として示し、ブラケットは側面から見た状態を示している。
【図７】本願発明の抜け止め部材が取り付けられたブラケットを、支柱に取り付ける様子を側面側から示す概念図であって、支柱は縦断面として示し、ブラケットは側面から見た状態を示している。
【符号の説明】
【００１７】
１００        抜け止め部材
１１０        本体部
１２０        突起部
１２１        幅狭部
１３０        弾性変形部
１３１        他端
１３２        一端
２００        ブラケット
３００        支柱
３１０        取付孔
【発明を実施するための形態】
【００１８】
以下に、本願発明の一実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本願発明は、図面における寸法比率に限定されるものではない。
【００１９】
図１は、本願発明の抜け止め部材１００を示しており、図１（ａ）は抜け止め部材１００の全体斜視図、図１（ｂ）は抜け止め部材１００の平面図、図１（ｃ）は抜け止め部材１００の側面図、図１（ｄ）は抜け止め部材１００の底面図である。
【００２０】
まず、抜け止め部材１００は、全体が合成樹脂で出来ており、略直方体形状の本体部１１０と、当該本体部１１０の先端側から突出している突起部１２０と、本体部１１０の外側に配置された弾性変形部１３０とを備える。この本体部１１０は、突起部１２０よりも上下方向の長さが長い２つの側壁１１２及び側壁１１３によって、突起部１２０を両側から挟みこむような構成となっている。そのため、突起部１２０の上下には、側壁１１２と側壁１１３との間に、溝部１１４が形成されている。そして、側壁１１２及び側壁１１３は互いに平行となっているので、溝部１１４も直線状に延びる形状をしている。なお、抜け止め部材１００は、全体が合成樹脂で形成されているが、これに限定されず、金属や木材等の任意の素材を適宜採用することができる。
【００２１】
また、突起部１２０は、略直方体形状であり、本体部１１０の先端側から突出している。さらに、突起部１２０は、後述する支柱３００の取付孔３１０に挿入可能な形状となっている。また、突起部１２０の先端側には、末端側の幅広部１２２に比べて幅が狭い幅狭部１２１が段状に形成されている。具体的には、突起部１２０の先端側の幅狭部１２１の幅Ｈ１は、末端側の幅広部１２２の幅Ｈ２より狭くなっている（つまり、幅Ｈ２＞幅Ｈ１）。
【００２２】
また、弾性変形部１３０は、半円状に湾曲した形状をしており、他端１３１は本体部１１０の外側表面に固定されている。また、弾性変形部１３０の一端１３２は、棒状の突起形状をしており、後述するブラケット２００の固定孔２４０に挿入して固定できるようになっている。さらに、一端１３２の一部には、弾性変形可能な爪部１３３が形成されており、当該爪部１３３は固定孔２４０に係止するので、一端１３２が固定孔２４０から簡単には抜けないようになっている。また、弾性変形部１３０は、合成樹脂製であり、他端１３１と一端１３２が近づくように、言い換えると、湾曲部分が縮径するように弾性変形することができる。なお、弾性変形部１３０の一端１３２は、弾性変形部１３０の一部が突起状に延出したものであるが、これに限定されず、一端にネジのような突起部材を取り付けて、一端１３２全体の形状を突起形状としてもよい。
【００２３】
なお、弾性変形部１３０は合成樹脂で形成されているが、これに限定されず、弾性変形可能で、本体部１１０を支柱３００の取付孔３１０に向けて付勢可能な素材であれば、任意の素材を採用することができ、例えば弾性変形部１３０を鉄等の金属で形成してもよい。また、弾性変形部１３０は半円状に湾曲した形状をしているが、これに限定されず、弾性変形可能で、本体部１１０を支柱３００の取付孔３１０に向けて付勢可能な形状であれば、任意の形状を採用することができる。
【００２４】
では次に、図２から図７を参照して、本願発明の抜け止め部材１００の使用態様について説明する。なお、図２は、ブラケット２００を支柱３００に取り付ける様子を示す概念図であって、支柱３００は縦断面として示し、ブラケット２００は側面から見た状態を示している。
【００２５】
まず、図２に示すように、支柱３００は中空状で長尺状の部材であり、壁面３２０に所定の間隔で、複数の取付孔３１０が上下方向に形成されている。
【００２６】
また、ブラケット２００は、長尺状の板部材であり、上端に陳列棚の下面側に係合する係止部２１０と、末端に支柱３００の取付孔３１０に係合する複数の係止片２２０を備える。この係止片２２０は、切り欠き状の複数の第一係止部２２５A及び第二係止部２２５Bを備え、この第一係止部２２５Aは、図２から図４を参照して説明するように、ブラケット２００を支柱３００に対して略直角に交わる姿勢で取り付ける場合に利用するものである。一方、第二係止部２２５Bは、図５から図７を参照して後述するように、ブラケット２００を支柱３００に対して斜めに交わる姿勢で取り付ける場合に利用するものである。なお、図２から図７に示すブラケット２００の係止片２２０は、２つの第一係止部２２５A及び第二係止部２２５Bを備えているが、これに限定されず、ブラケット２００の取り付け姿勢に応じて、３つ以上の係止部を備えてもよい。当然ながら、３つ以上の各係止部は、ブラケット２００の複数の異なる取り付け姿勢に、それぞれ対応している。
【００２７】
さらに、係止片２２０に隣接する箇所には、抜け止め部材１００を取り付けるための切欠部２３０が形成されている。この切欠部２３０の形状は、略直方体形状の突起部１２０が切欠部２３０内に配置された際に、突起部１２０が切欠部２３０の長尺方向へスライドできるように構成されている。
【００２８】
そして、切欠部２３０の上下の縁部２３１が、本体部１１０の上下の溝部１１４にそれぞれ嵌められており、本体部１１０は溝部１１４に沿って抜け落ちないようにスライドできるようになっている。なお、本体部１１０をブラケット２００にスライド可能に取り付ける構成は、切欠部２３０の縁部２３１を溝部１１４に嵌める構成に限定されず、本体部１１０がブラケット２００にスライド可能に取り付けられる構成であればよく、例えば、切欠部２３０の縁部２３１側に直線状の溝を形成しておき、当該溝に本体部１１０の一部を嵌め合わせて、当該溝に沿って本体部１１０をスライドできるような構成としてもよい。
【００２９】
また、ブラケット２００の切欠部２３０に隣接する位置に、ブラケット２００の表側から裏側に貫通する固定孔２４０が形成されており、この固定孔２４０に弾性変形部１３０の一端１３２が挿入されて固定されている。この弾性変形部１３０は、ブラケット２００の裏側（図面上、ブラケット２００の裏側）に位置しており、一端１３２が裏側から固定孔２４０へ挿入されている。また、爪部１３３が固定孔２４０の周縁に係止しており、一端１３２が固定孔２４０から脱落しないようになっている。なお、弾性変形部１３０をブラケット２００に固定する構成は、ブラケット２００の固定孔２４０に、一端１３２を挿入して固定する構成に限定されず、ブラケット２００と弾性変形部１３０の一端１３２とを固定できる構成であればよく、例えば、ブラケット２００の表面と一端１３２の接触箇所に接着剤を塗布して、両者を固定する構成や、一端１３２をネジ等の部材によってブラケット２００に固定する構成としてもよい。
【００３０】
次に、図２から図３に示すように、ブラケット２００を支柱３００に対して略直角に交わる姿勢で取り付ける場合は、ブラケット２００の係止片２２０を取付孔３１０に挿入し、第一係止部２２５Aを取付孔３１０の縁部に係止させる。この係止片２２０の先端２２１の上下方向の長さＬ１は、取付孔３１０の上下方向の長さＬ２よりも小さくなっているので、先端２２１は取付孔３１０を通過して挿入できる。なお、図３は、ブラケット２００を支柱３００に取り付ける様子を示す概念図であって、支柱３００は縦断面として示し、ブラケット２００は側面から見た状態を示している。
【００３１】
一方、抜け止め部材１００の突起部１２０の先端は取付孔３１０を通過できず、図３に示すように、支柱３００の壁面３２０に当接する。すると、抜け止め部材１００の本体部１１０は、壁面３２０に押されるようにして壁面３２０とは反対方向へスライド移動していく。その際、本体部１１０は、溝部１１４に沿って滑らかにスライド移動している。
【００３２】
ここで、弾性変形部１３０の他端１３１は本体部１１０に固定され、一端１３２はブラケット２００の固定孔２４０に固定されているので、図３に示すように、本体部１１０が固定孔２４０へ向けて移動すると、弾性変形部１３０は、他端１３１と一端１３２とが近接するように、湾曲部分の径を小さくしながら、弾性変形していく。
【００３３】
そして、図３に示すように、本体部１１０が後方へスライド移動したので、係止片２２０の末端２２２を取付孔３１０まで挿入することができる。この末端２２２は、係止片２２０の先端２２１の長さＬ１よりも短いので、末端２２２と取付孔３１０との間には隙間Ｘ１が出来ている。
【００３４】
そして、図３に示す状態からブラケット２００を下方へ降ろすと、係止片２２０の末端２２２が取付孔３１０の下端側へ移動する。すると、図４に示すように、係止片２２０の第一係止部２２５Aが取付孔３１０に係止して、ブラケット２００が支柱３００に取り付けられることになる。なお、図４は、ブラケット２００を支柱３００に取り付ける様子を示す概念図であって、支柱３００は縦断面として示し、ブラケット２００は側面から見た状態を示している。
【００３５】
図４に示すように、係止片２２０の末端２２２の上端側と取付孔３１０の間には、隙間Ｘ１ができている。そして、弾性変形していた弾性変形部１３０には、変形前の元の状態へ復帰しようとする復元力が働いているので、本体部１１０は弾性変形部１３０によって、取付孔３１０へ向けて付勢されている。すると、本体部１１０は溝部１１４に沿って取付孔３１０側へスライドしていくので、図４に示すように、本体部１１０の突起部１２０が、幅広部１２２まで取付孔３１０へ挿入されるのである。なお、突起部１２０の幅広部１２２の大きさは、ブラケット２００を支柱３００に対して略直角に交わる姿勢で取り付ける場合において、末端２２２の上端側と取付孔３１０の間の隙間Ｘ１に挿入できるように設定されている。
【００３６】
したがって、抜け止め部材１００の突起部１２０の幅広部１２２が取付孔３１０に挿入されるので、取付孔３１０と係止片２２０との間には隙間Ｘ１がなくなる。そのため、係止片２２０が取付孔３１０から不用意に抜け出て、ブラケット２００が支柱３００から外れてしまうことを防止できるのである。なお、ブラケット２００を支柱３００から取り外したい場合は、作業員が本体部１１０を後方へスライドさせて、取付孔３１０と係止片２２０との間に隙間Ｘ１を作り、ブラケット２００の係止片２２０を取付孔３１０から外せばよい。
【００３７】
では、次に、図５から図７を参照して、ブラケット２００を支柱３００に対して斜めに交わる姿勢で取り付ける場合について説明する。まず、図５に示すように、ブラケット２００の係止片２２０を取付孔３１０に挿入し、第二係止部２２５Bを取付孔３１０の縁部に係止させる。この係止片２２０の先端２２１の上下方向の長さＬ１は、取付孔３１０の上下方向の長さＬ２よりも小さくなっているので、先端２２１は取付孔３１０を通過して挿入できる。なお、図５は、ブラケット２００を支柱３００に取り付ける様子を示す概念図であって、支柱３００は縦断面として示し、ブラケット２００は側面から見た状態を示している。
【００３８】
一方、抜け止め部材１００の突起部１２０の先端は取付孔３１０を通過できず、図６に示すように、支柱３００の壁面３２０に当接する。すると、抜け止め部材１００の本体部１１０は、壁面３２０に押されるようにして壁面３２０とは反対方向へスライド移動していく。その際、弾性変形部１３０は、他端１３１と一端１３２とが近接するように、湾曲部分の径を小さくしながら、弾性変形していく。
【００３９】
そして、図６に示すように、本体部１１０が後方へスライド移動したので、係止片２２０の末端２２２を取付孔３１０まで挿入することができる。なお、末端２２２と取付孔３１０との間には隙間Ｘ２が出来ている。
【００４０】
そして、図６に示す状態からブラケット２００を下方へ降ろすと、係止片２２０の末端２２２が取付孔３１０の下端側へ移動する。すると、図７に示すように、係止片２２０の第二係止部２２５Bが取付孔３１０に係止して、ブラケット２００が支柱３００に取り付けられることになる。なお、図７は、ブラケット２００を支柱３００に取り付ける様子を示す概念図であって、支柱３００は縦断面として示し、ブラケット２００は側面から見た状態を示している。
【００４１】
図７に示すように、係止片２２０の末端２２２の上端側と取付孔３１０の間には、隙間Ｘ２ができている。ただ、ブラケット２００は支柱３００に対して斜めの姿勢で取り付けられているので、ブラケット２００が支柱３００に対して略直角の姿勢で取り付けられている図４の隙間Ｘ１と比較すると、隙間Ｘ２は隙間X１より狭くなっている。そして、仮に、本体部１１０の突起部１２０の幅狭部１２１が設けられておらず、突起部１２０の先端が幅広部１２２と同じ幅であると、突起部１２０の先端が壁面３２０に当接してしまい、突起部１２０は取付孔３１０に挿入出来なくなる。そして、突起部１２０が取付孔３１０に挿入出来ない場合は隙間Ｘ２が埋まらず、係止片２２０が取付孔３１０から不用意に抜け出て、ブラケット２００が支柱３００から外れてしまう可能性がある。
【００４２】
そこで、本願発明の抜け止め部材１００の突起部１２０の先端には、幅が狭い幅狭部１２１を設けたので、この幅狭部１２１は、壁面３２０に邪魔されることなく取付孔３１０内に挿入でき、隙間Ｘ２を埋めることが出来るのである。したがって、ブラケット２００を支柱３００に対して斜めに交わる姿勢で取り付ける場合においても、係止片２２０が取付孔３１０から不用意に抜け出て、ブラケット２００が支柱３００から外れてしまうことを防止できるのである。
【００４３】
なお、突起部１２０の幅狭部１２１の大きさは、ブラケット２００を支柱３００に対して斜めに交わる姿勢で取り付ける場合において、末端２２２の上端側と取付孔３１０の間の隙間Ｘ２に挿入できるように設定されている。
【００４４】
このように、本願発明の抜け止め部材１００によれば、突起部１２０の先端側に、突起部１２０の末端側よりも幅が狭い幅狭部１２１を備えているので、ブラケット２００を支柱３００に対して略直角又は斜めに交わるように、ブラケット２００の取り付け姿勢を変えても、突起部１２０が支柱３００の取付孔３１０に確実に挿入され、ブラケットの抜け止めを実現することができるのである。
【００４５】
また、本願発明の抜け止め部材１００によれば、弾性変形部１３０の他端１３１が本体部１１０に固定され、弾性変形部１３０の一端１３２がブラケット２００に固定されているので、抜け止め部材１００がブラケット２００から飛び出して脱落することはない。さらに、弾性変形部１３０は本体部１１０の外側に配置されているので、本体部１１０がスライド移動することによって、弾性変形部１３０が本体部１１０やブラケット２００と擦れて摩耗することを極力抑えることができる。つまり、抜け止め部材１００をブラケット２００につなぎ止めている弾性変形部１３０が摩耗し難く、損傷を受けにくいことから、抜け止め部材１００を長期間使用しても、抜け止め部材１００がブラケット２００から脱落してしまうことを効果的に防止できるのである。
【００４６】
なお、図１に示す本願発明の抜け止め部材１００では、突起部１２０の幅狭部１２１は、幅H１が一定で略直方体形状であったが、これに限定されず、幅広部１２２に比べて幅が狭いのであれば、どのような形状でもよく、例えば、突起部１２０の先端に向かうにつれて幅H１が徐々に狭くなるような、略台形形状であってもよい。
【００４７】
さらに、本願発明の抜け止め部材１００によれば、弾性変形部１３０の突起状の一端１３２を、ブラケット２００の固定孔２４０に挿入すれば、抜け止め部材１００をブラケット２００に固定できるので、抜け止め部材１００の取り付け作業が極めて簡単となる。
【００４８】
また、一端１３２の挿入方向と、弾性変形部１３０が弾性変形する方向とは、互いに交差している。そのため、弾性変形部１３０が弾性変形しても、弾性変形部１３０の一端１３２が固定孔２４０から抜けてしまうことを効果的に防止することができる。特に、一端１３２の挿入方向と、弾性変形部１３０の弾性変形する方向とが、互いに直交する場合は、弾性変形部１３０が弾性変形しても、一端１３２が固定孔２４０から最も抜けにくくなる。なお、一端１３２の挿入方向とは、ブラケット２００の固定孔２４０の軸方向であり、弾性変形部１３０が弾性変形する方向とは、弾性変形部１３０の他端１３１と一端１３２を含む平面又はブラケット２００の表面に沿って、弾性変形部１３０の湾曲部分が変形する方向のことである。
【００４９】
さらに、本願発明の抜け止め部材１００によれば、本体部１１０が溝部１１４を備え、当該溝部１１４に、ブラケット２００の一部（例えば切欠部２３０の縁部２３１）が嵌まる構成なので、本体部１１０は溝部１１４に沿って滑らかにスライド移動することが出来る。また、溝部１１４にブラケット２００の一部を嵌めるだけなので、本体部１１０のブラケット２００への取り付け作業が簡単である。
【００５０】
さらに、本願発明の抜け止め部材１００を備えたブラケット２００は、当該ブラケットを支柱３００に取り付ける際の複数の姿勢（例えば、略直角や斜め）に対応している、複数の係止部（第一係止部２２５A、第二係止部２２５B）を備えているので、ブラケット２００の支柱３００への取り付け姿勢を容易に変更できると共に、ブラケットの抜け止めを確実に実現できる。
【００５１】
なお、本願発明の抜け止め部材及び、当該抜け止め部材を備えたブラケットは、上記の実施例に限定されず、特許請求の範囲に記載された範囲、実施形態の範囲で、種々の変形例、組み合わせが可能であり、これらの変形例、組み合わせもその権利範囲に含むものである。
【図１】
2019176939.tif 000003
【図２】
2019176939.tif 000004
【図３】
2019176939.tif 000005
【図４】
2019176939.tif 000006
【図５】
2019176939.tif 000007
【図６】
2019176939.tif 000008
【図７】
2019176939.tif 000009